(57)【特許請求の範囲】
【請求項１】
金属から成る回路基板の上面に形成されて単一の金属層から成る導電パターンと、前記導電パターンと電気的に接続された回路素子とを具備し、
前記導電パターンは、第１の導電パターンと、前記第１の導電パターンよりも厚く形成された第２の導電パターンとから成り、
前記第１の導電パターンと前記第２の導電パターンの上面は同一レベルに配置され、前記第２の導電パターンの下面には、前記第１の導電パターンの下面よりも厚み方向に突出する凸部が設けられ、
前記凸部の周囲には、第１の導電パターンと同じ膜厚の縁部が形成され、前記縁部の上面の高さは前記第１の導電パターンの上面と同じ高さであり、
前記第１の導電パターンの下面と前記回路基板の上面とが離間する距離は、前記第２の導電パターンの下面と前記回路基板の上面とが離間する距離よりも長いことを特徴とする回路装置。
【請求項２】
回路基板の表面に形成されて単一の金属層から成る導電パターンと、前記導電パターンと電気的に接続された回路素子とを具備し、
前記導電パターンは、第１の導電パターンと、前記第１の導電パターンよりも厚く形成された第２の導電パターンとから成り、
前記第１の導電パターンと前記第２の導電パターンの裏面は同一レベルに配置され、前記第２の導電パターンの表面には、前記第１の導電パターンの表面よりも厚み方向に突出する凸部が設けられ、
前記凸部の周囲には、第１の導電パターンと同じ膜厚の縁部が形成され、前記縁部の上面の高さは前記第１の導電パターンの上面と同じ高さであることを特徴とする回路装置。
【請求項３】
回路基板の表面に形成された導電パターンと、前記導電パターンと電気的に接続された回路素子とを具備し、
前記導電パターンは、第１の導電パターンと、前記第１の導電パターンよりも厚く形成された第２の導電パターンとから成り、
前記第２の導電パターンの表面および裏面には、厚み方向に突出する凸部が設けられることを特徴とする回路装置。
【請求項４】
前記縁部の幅を、前記第１の導電パターンの厚みよりも広くすることを特徴とする請求項１から請求項３の何れかに記載の回路装置。
【請求項５】
前記凸部は、前記回路基板の表面に形成された絶縁層に埋め込まれることを特徴とする請求項１または請求項３に記載の回路装置。
【請求項６】
前記回路基板は、金属基板、セラミック基板、プリント基板またはフレキシブルシートであることを特徴とする請求項２または請求項３に記載の回路装置。
【請求項７】
前記第１の導電パターンには第１の回路素子が接続され、
前記第２の導電パターンには、前記第１の回路素子よりも電流容量が大きい第２の回路素子が接続されることを特徴とする請求項１から請求項６の何れかに記載の回路装置。
【請求項８】
厚み方向に突出する凸部が上面に設けられた導電箔を用意し、
金属から成る回路基板の上面に設けた絶縁層に前記凸部が埋め込まれるように、前記導電箔を前記回路基板に密着させ、
前記凸部が設けられていない領域の前記導電箔を部分的に除去することにより、第１の導電パターンと、前記凸部を含み前記第１の導電パターンよりも厚い第２の導電パターンを形成し、
前記第１の導電パターンの下面と前記回路基板の上面とが離間する距離を、前記第２の導電パターンの下面と前記回路基板の上面とが離間する距離よりも長くすることを特徴とする回路装置の製造方法。
【請求項９】
厚み方向に突出する凸部が表面に設けられた導電箔を用意し、
回路基板の表面に設けた絶縁層に前記導電箔の裏面を密着させ、
前記凸部が設けられていない領域の前記導電箔を部分的に除去することにより、第１の導電パターンと、前記凸部を含み前記第１の導電パターンよりも厚い第２の導電パターンを形成することを特徴とする回路装置の製造方法。
【請求項１０】
厚み方向に突出する凸部が表面および裏面に設けられた導電箔を用意し、
回路基板の表面に設けた絶縁層に前記凸部が埋め込まれるように、前記導電箔を前記回路基板に密着させ、
前記凸部が設けられていない領域の前記導電箔を部分的に除去することにより、第１の導電パターンと、前記凸部を含み前記第１の導電パターンよりも厚い第２の導電パターンを形成することを特徴とする回路装置の製造方法。
【請求項１１】
前記凸部の側面は曲面であることを特徴とする請求項８から請求項１０の何れかに記載の回路装置の製造方法。
【請求項１２】
前記凸部の周囲に、前記第１の導電パターンと同じ厚さの縁部が残存するように、前記導電箔をパターニングすることを特徴とする請求項８から請求項１１の何れかに記載の回路装置の製造方法。
【請求項１３】
前記縁部の幅を、前記第１の導電パターンの厚さよりも広くすることを特徴とする請求項１２に記載の回路装置の製造方法。
【請求項１４】
エッチング処理により、前記第１の導電パターンおよび前記第２の導電パターンを形成することを特徴とする請求項８から請求項１３の何れかに記載の回路装置の製造方法。
【発明の詳細な説明】
【技術分野】
【０００１】
本発明は回路装置およびその製造方法に関し、特に、厚みが異なる導電パターンを有する回路装置およびその製造方法に関するものである。
【背景技術】
【０００２】
第１０図を参照して、従来の混成集積回路装置の構成を説明する（例えば、特開平６−１７７２９５号公報（第４頁、第１図）を参照）。第１０図（Ａ）は混成集積回路装置１００の斜視図であり、第１０図（Ｂ）は第１０図（Ａ）のＸ−Ｘ’線に於ける断面図である。
【０００３】
従来の混成集積回路装置１００は次のような構成を有する。矩形の基板１０６と、基板１０６の表面に設けられた絶縁層１０７と、この絶縁層１０７上に形成された導電パターン１０８と、導電パターン１０８上に固着された回路素子１０４と、回路素子１０４と導電パターン１０８とを電気的に接続する金属細線１０５と、導電パターン１０８と電気的に接続されたリード１０１とで、混成集積回路装置１００は構成されている。混成集積回路装置１００は全体が封止樹脂１０２で封止されている。封止樹脂１０２で封止する方法としては、熱可塑性樹脂を用いたインジェクションモールドと、熱硬化性樹脂を用いたトランスファーモールドとがある。
【０００４】
【発明の概要】
【発明が解決しようとする課題】
しかしながら、上述したような混成集積回路装置では、大電流用のパワー系の素子を実装した混成集積回路基板（以下基板という）と小信号系の素子を実装した基板では、導電パターンの膜厚を変えていた。例えばパワー系の素子が実装される基板では、導電パターンの厚みは例えば１００μｍであった。また、小信号系の素子が実装される基板では、導電パターンの厚みは３５μｍであった。従って、実装される素子に応じて、パターンの厚みが異なる基板を用意するとコストが上昇する問題があった。
【０００５】
更に、厚みが１００μｍ程度の厚い導電パターンを有する基板では、厚い導電パターンでは微細なパターンが形成できないことから、端子数が多いＬＳＩ（Ｌａｒｇｅ  Ｓｃａｌｅ  Ｉｎｔｅｇｒａｔｉｏｎ）を実装基板に実装できない問題があった。更にまた、厚みが３５μｍ程度の薄い導電パターンを有する基板に、パワー系の素子を実装すると、薄い導電パターンは断面積が小さいので十分な電流容量を確保できない問題があった。
【０００６】
本発明は、上記した問題を鑑みて成されたものである。本発明の主な目的は、電流容量を確保しつつ微細なパターンが形成可能な回路装置およびの製造方法を提供することにある。
【課題を解決するための手段】
【０００７】
本発明の回路装置は、金属から成る回路基板の上面に形成されて単一の金属層から成る導電パターンと、前記導電パターンと電気的に接続された回路素子とを具備し、前記導電パターンは、第１の導電パターンと、前記第１の導電パターンよりも厚く形成された第２の導電パターンとから成り、前記第１の導電パターンと前記第２の導電パターンの上面は同一レベルに配置され、前記第２の導電パターンの下面には、前記第１の導電パターンの下面よりも厚み方向に突出する凸部が設けられ、前記凸部の周囲には、第１の導電パターンと同じ膜厚の縁部が形成され、前記縁部の上面の高さは前記第１の導電パターンの上面と同じ高さであり、前記第１の導電パターンの下面と前記回路基板の上面とが離間する距離は、前記第２の導電パターンの下面と前記回路基板の上面とが離間する距離よりも長いことを特徴とする。
【０００８】
本発明の回路装置は、回路基板の表面に形成されて単一の金属層から成る導電パターンと、前記導電パターンと電気的に接続された回路素子とを具備し、前記導電パターンは、第１の導電パターンと、前記第１の導電パターンよりも厚く形成された第２の導電パターンとから成り、前記第１の導電パターンと前記第２の導電パターンの裏面は同一レベルに配置され、前記第２の導電パターンの表面には、前記第１の導電パターンの表面よりも厚み方向に突出する凸部が設けられ、前記凸部の周囲には、第１の導電パターンと同じ膜厚の縁部が形成され、前記縁部の上面の高さは前記第１の導電パターンの上面と同じ高さであることを特徴とする。
【０００９】
本発明の回路装置は、回路基板の表面に形成された導電パターンと、前記導電パターンと電気的に接続された回路素子とを具備し、前記導電パターンは、第１の導電パターンと、前記第１の導電パターンよりも厚く形成された第２の導電パターンとから成り、前記第２の導電パターンの表面および裏面には、厚み方向に突出する凸部が設けられることを特徴とする。
【００１０】
更に本発明の回路装置では、前記縁部の幅を、前記第１の導電パターンの厚みよりも広くすることを特徴とする。
【００１１】
更に本発明の回路装置では、前記凸部は、前記回路基板の表面に形成された絶縁層に埋め込まれることを特徴とする。
【００１２】
更に本発明の回路装置では、前記回路基板は、金属基板、セラミック基板、プリント基板またはフレキシブルシートであることを特徴とする。
【００１３】
更に本発明の回路装置では、前記第１の導電パターンには第１の回路素子が接続され、前記第２の導電パターンには、前記第１の回路素子よりも電流容量が大きい第２の回路素子が接続されることを特徴とする。
【００１４】
本発明の回路装置の製造方法は、厚み方向に突出する凸部が上面に設けられた導電箔を用意し、金属から成る回路基板の上面に設けた絶縁層に前記凸部が埋め込まれるように、前記導電箔を前記回路基板に密着させ、前記凸部が設けられていない領域の前記導電箔を部分的に除去することにより、第１の導電パターンと、前記凸部を含み前記第１の導電パターンよりも厚い第２の導電パターンを形成し、前記第１の導電パターンの下面と前記回路基板の上面とが離間する距離を、前記第２の導電パターンの下面と前記回路基板の上面とが離間する距離よりも長くすることを特徴とする。
【００１５】
更に本発明の回路装置の製造方法は、厚み方向に突出する凸部が表面に設けられた導電箔を用意し、回路基板の表面に設けた絶縁層に前記導電箔の裏面を密着させ、前記凸部が設けられていない領域の前記導電箔を部分的に除去することにより、第１の導電パターンと、前記凸部を含み前記第１の導電パターンよりも厚い第２の導電パターンを形成することを特徴とする。
【００１６】
更に本発明の回路装置の製造方法は、厚み方向に突出する凸部が表面および裏面に設けられた導電箔を用意し、回路基板の表面に設けた絶縁層に前記凸部が埋め込まれるように、前記導電箔を前記回路基板に密着させ、前記凸部が設けられていない領域の前記導電箔を部分的に除去することにより、第１の導電パターンと、前記凸部を含み前記第１の導電パターンよりも厚い第２の導電パターンを形成することを特徴とする。
【００１７】
更に本発明の回路装置の製造方法では、前記凸部の側面は曲面であることを特徴とする。
【００１８】
更に本発明の回路装置の製造方法では、前記凸部の周囲に、前記第１の導電パターンと同じ厚さの縁部が残存するように、前記導電箔をパターニングすることを特徴とする。
【００１９】
更に本発明の回路装置の製造方法では、前記縁部の幅を、前記第１の導電パターンの厚さよりも広くすることを特徴とする。
【００２０】
更に本発明の回路装置の製造方法では、エッチング処理により、前記第1の導電パターンおよび前記第２の導電パターンを形成することを特徴とする。
【発明の効果】
【００２１】
本発明によれば、厚い第２の導電パターン１８Ｂにより、放熱性および電流容量が確保される。しかも薄い第１の導電パターン１８Ａを設けることにより、小信号系の部品を実装できる。
さらに本発明によれば、１つの回路基板の表面に厚みの異なる導電パターンを形成することが可能となる。
【図面の簡単な説明】
【００２２】
【図１】      本発明の混成集積回路装置の斜視図（Ａ）、断面図（Ｂ）である。
【図２】      本発明の混成集積回路装置の斜視図である。
【図３】      本発明の混成集積回路装置の断面図（Ａ）−（Ｃ）である。
【図４】      本発明の混成集積回路装置の製造方法を説明する断面図（Ａ）−（Ｆ）である。
【図５】      本発明の混成集積回路装置の製造方法を説明する断面図（Ａ）−（Ｅ）である。
【図６】      本発明の混成集積回路装置の製造方法を説明する断面図（Ａ）−（Ｆ）である。
【図７】      本発明の混成集積回路装置の製造方法を説明する断面図（Ａ）−（Ｅ）である。
【図８】      本発明の混成集積回路装置の製造方法を説明する断面図（Ａ）、断面図（Ｂ）である。
【図９】      本発明の混成集積回路装置の製造方法を説明する断面図である。
【図１０】      従来の混成集積回路装置の斜視図（Ａ）、断面図（Ｂ）である。
【発明を実施するための形態】
【００２３】
第１図を参照して、本発明の混成集積回路装置１０の構成を説明する。第１図（Ａ）は混成集積回路装置１０の斜視図であり、第１図（Ｂ）は第１図（Ａ）のＸ−Ｘ’断面での断面図である。
【００２４】
本発明の混成集積回路装置１０は、回路基板１６の表面に形成された導電パターン１８と、導電パターン１８と電気的に接続された回路素子１４とを具備する。更に、導電パターン１８は、第１の導電パターン１８Ａと、第１の導電パターン１８Ａよりも厚く形成された第２の導電パターン１８Ｂとから成る。第１の導電パターン１８Ａよりも第２の導電パターン１８Ｂは電流容量が大きい構成と成っている。このような各構成要素を以下にて説明する。
【００２５】
回路基板１６は、金属またはセラミック等から成る基板が放熱の意味で好ましい。しかし、フレキシブルシートや樹脂から成るプリント基板等でも良く、少なくとも基板の表面が絶縁処理されたものであればよい。また回路基板１６の材料としては、金属としてＡｌ、ＣｕまたはＦｅ等を採用可能であり、セラミックとしてはＡｌ２Ｏ３、ＡｌＮを採用することができる。その他にも機械的強度や放熱性に優れるものを回路基板１６の材料として採用することが出来る。一例として回路基板１６としてＡｌより成る基板を採用した場合、回路基板１６の表面は絶縁層１７により被覆される。そして、絶縁層１７の表面に導電パターン１８が形成される。即ち、絶縁層１７により回路基板１６と導電パターン１８とが絶縁される。また、Ａｌから成る回路基板１６の表面はアルマイト処理されている。
【００２６】
第１図（Ｂ）を参照して、回路基板１６の表面に載置された回路素子１４から発生する熱を好適に外部に逃がすために、回路基板１６の裏面は封止樹脂１２から外部に露出している。また装置全体の耐湿性を向上させるために、回路基板１６の裏面も含めて封止樹脂１２により全体を封止することもできる。更には、ケース材により回路基板１６の表面を封止しても良い。
【００２７】
回路素子１４は導電パターン１８上に固着され、回路素子１４と導電パターン１８とで所定の電気回路が構成されている。回路素子１４としては、トランジスタやダイオード等の能動素子や、コンデンサや抵抗等の受動素子が採用される。また、パワー系の半導体素子等の発熱量が大きいものは、金属より成るヒートシンクを介して回路基板１６に固着されても良い。更に、樹脂封止型の回路装置を導電パターン１８に実装することもできる。ここで、フェイスアップで実装される能動素子等は、金属細線１５を介して、導電パターン１８と電気的に接続される。
【００２８】
本形態では、回路素子１４は、比較的小さな電流が流れる第１の回路素子１４Ａと、大電流が流れる第２の回路素子１４Ｂとを含む。
【００２９】
具体例として、第１の回路素子１４Ａとしては、ＬＳＩチップ、コンデンサ、抵抗等を例にあげられる。裏面が接地電位等と電気的に接続されるＬＳＩチップは、ロウ材や導電性ペーストを介して、導電パターン１８に接続される。また、裏面が電気的に接続されないＬＳＩチップは、絶縁性の接着剤を介して、導電パターン１８に接続される。電流容量が小さい第１の回路素子１４Ａは、例えば数十μｍ程度に薄く形成される第１の導電パターン１８Ａに固着される。
【００３０】
第２の回路素子１４Ｂは、例えば数百μｍ程度に厚く形成される第２の導電パターン１８Ｂに接続される。第２の回路素子１４Ｂとしては、大きな電流を制御するパワー系のトランジスタ、例えばパワーＭＯＳ（Ｍｅｔａｌ−Ｏｘｉｄｅ  Ｓｅｍｉｃｏｎｄｕｃｔｏｒ）、ＩＧＢＴ（Ｉｎｓｕｌａｔｅｄ  Ｇａｔｅ  Ｂｉｐｏｌａｒ  Ｔｒａｎｓｉｓｔｏｒ）、サイリスタ等を採用することができる。またパワー系のＩＣも該当する。これらの第２の回路素子１４Ｂは、チップもサイズが小さく薄型で高機能なため、大量に熱が発生する。
【００３１】
導電パターン１８は銅等の金属から成り、基板１６と絶縁して形成される。また、リード１１が導出する辺に、導電パターン１８からなるパッドが形成される。リードは、片側導出で説明しているが、少なくとも一側辺から導出されていれば良い。更に、導電パターン１８は、絶縁層１７を接着剤として回路基板１６の表面に接着されている。導電パターン１８は、第１の導電パターン１８Ａと、この第１の導電パターン１８Ａよりも厚く形成される第２の導電パターン１８Ｂとから成る。そして、第１の導電パターン１８Ａの方が、第２の導電パターン１８Ｂよりも狭いパターンルールとなっている。
【００３２】
第１の導電パターン１８Ａは、厚さが数十μｍ程度に薄く形成されるパターンである。第１の導電パターン１８Ａの厚さとしては、例えば９μｍから８０μｍ程度の間で、選択される。量産レベルに適する第１の導電パターン１８Ａの厚さは、例えば３０μｍ程度である。この厚さならば、ウェットエッチングによりパターン同士の間隔を５０μｍ程度まで接近させることが出来る。ここで、パターン同士の間隔とは、隣接するパターンの内側の端部から端部までの距離を指す。更に、この厚さであれば、パターンの幅も５０μｍ程度まで狭くすることができることから、微細なパターンを形成することが可能となる。具体的に、第１の導電パターン１８Ａは、例えば数ミリアンペア程度の電気信号が通過するためのパターンとして用いられる。例えば、ＬＳＩ素子の制御信号が、第１の導電パターン１８Ａを通過する。
【００３３】
第２の導電パターン１８Ｂは、上記第１の導電パターン１８Ａよりも厚く形成されるパターンである。第２の導電パターン１８Ｂの厚さは、３５μｍから５００μｍ程度の間で、要求される電流容量に応じて選択することができる。第２の導電パターン１８Ｂの厚みを１００μｍ程度とした場合は、パターン同士の間隔およびその幅を３００μｍ程度にすることができる。このような第２の導電パターン１８Ｂの場合は、５０アンペア程度の電流を導通させることが可能となる。
【００３４】
絶縁層１７は、回路基板１６の表面全域に形成されて、導電パターン１８の裏面と回路基板１６の表面とを接着させる働きを有する。また、絶縁層１７は、アルミナなどの無機フィラーを樹脂に高充填させたものであり、熱伝導性に優れたものと成っている。導電パターン１８の下端と回路基板１６の表面との距離（絶縁層１７の最小厚さ）は、耐圧によりその厚みが変化するが、５０μｍ程度以上が好ましい。
【００３５】
リード１１は、回路基板１６の周辺部に設けられたパッドに固着され、例えば外部との入力・出力を行う働きを有する。ここでは、一辺に多数個のリード１１が設けられている。リード１１とパッドとの接着は、半田（ロウ材）等の導電性接着剤を介して行われている。
【００３６】
封止樹脂１２は、熱硬化性樹脂を用いるトランスファーモールド、または、熱可塑性樹脂を用いるインジェクションモールドにより形成される。ここでは、回路基板１６およびその表面に形成された電気回路を封止するように封止樹脂１２が形成され、回路基板１６の裏面は封止樹脂１２から露出している。更にまた、モールドによる封止以外の封止方法も本形態の混成集積回路装置に適用可能であり、例えば、樹脂のポッティングによる封止、ケース材による封止、等の他の封止方法を適用させることが可能である。
【００３７】
第２図の斜視図を参照して、回路基板１６の表面に形成される導電パターン１８の具体的な形状の一例を説明する。このでは、全体を封止する樹脂を省いて図示している。
【００３８】
上述したように、本形態では、導電パターン１８は、薄く形成される第１の導電パターン１８Ａと、厚く形成される第２の導電パターン１８Ｂとに分けることができる。同図では、第１の導電パターン１８Ａを実線で示し、第２の導電パターン１８Ｂをハッチングのパターンで示している。即ち、小信号が通過するパターンを第１の導電パターン１８Ａとして設計し、大信号が通過するパターンを第２の導電パターン１８Ｂとして設計することが出来る。ここで、大信号としては、例えばスピーカやモーターの駆動を行う信号をあげることが出来る。また、小信号としては、例えばＬＳＩ素子である第１の回路素子１４Ａに入出力される信号や、スイッチング素子である第２の回路素子１４Ｂの制御端子に入力される電気信号をあげることが出来る。
【００３９】
ここでは、ＬＳＩ素子である第１の回路素子に接続するパターンは、第１の導電パターン１８Ａで構成されている。ＬＳＩ素子の信号処理に用いられる電気信号は数ミリアンペア程度であるので、厚さが数十μｍ程度の第１の導電パターン１８Ａで十分に電流容量が足りる。また、第１の導電パターン１８Ａが微細に形成されることから、端子数が多いＬＳＩ素子を第１の回路素子１４Ａとして採用することも可能である。
【００４０】
第２の導電パターン１８Ｂは、パワートランジスタ等である第１の回路素子１４Ｂの流入・流出電極に接続されている。即ち、第１の導電パターン１８Ａを介して入力された小信号に基づいて、第２の導電パターン１８Ｂを流れる大電流のスイッチングが行わる。
【００４１】
第３図を参照して、第２の導電パターン１８Ｂの詳細を説明する。第３図（Ａ）から第３図（Ｃ）は、第２の導電パターン１８Ｂの形状を示している。
【００４２】
第３図（Ａ）を参照して、ここでは、部分的に凸部２２が設けられることで、厚い第２の導電パターン１８Ｂが形成されている。また、第２の導電パターン１８Ｂの裏面に設けられて厚み方向に一体に突出する凸部２２は、絶縁層１７に埋め込まれている。更に、第１の導電パターン１８Ａの上面と、第２の導電パターン１８Ｂの上面とは実質的に同一平面上に位置している。
【００４３】
ここで、第１の導電パターン１８Ａの厚さをＴ１とし、第２の導電パターン１８Ｂの凸部２２が絶縁層１７に埋没する深さをＴ２とし、第２の導電パターン１８Ｂの最下部と回路基板１６の表面との距離をＴ３とする。Ｔ１は、第１の導電パターン１８Ａを微細に形成するために、９μｍから８０μｍ程度にすることが好ましい。Ｔ２は、第２の導電パターン１８Ｂの電流容量を確保するために３５μｍから５００μｍ程度が好ましい。即ち、第２の導電パターン１８Ｂの厚さは、第１の導電パターン１８Ａに比較して、Ｔ２だけ厚みが増すことになる。Ｔ３は、耐圧性が考慮されて５０μｍから２００μｍ程度が好ましい。
【００４４】
第２の導電パターン１８Ｂが部分的に絶縁層１７に埋め込まれることによるメリットを説明する。先ず、第２の導電パターン１８Ｂの下面が回路基板１６の表面に接近するので、第２の回路素子１４Ｂから発生する熱を、第２の導電パターン１８Ｂおよび絶縁層１７を介して外部に放出させることができる。本形態では、フィラーが高充填された絶縁層１７を用いている。また、放熱性の向上のためには、耐圧性を確保出来る範囲で絶縁層１７は薄い方がよい。従って、第２の導電パターン１８Ｂを部分的に絶縁層１７に埋め込む構成にすることで、第２の導電パターン１８Ｂと回路基板１６との距離を短くすることが出来る。このことが、装置全体の放熱性の向上に寄与する。
【００４５】
更に、第２の導電パターン１８Ｂを絶縁層１７に埋め込む構成にすることで、第２の導電パターン１８Ｂの裏面と絶縁層１７とが接触する面積を大きくすることができる。従って、放熱性を更に向上させることができる。凸部２２を立方体に例えれば、実質上面を除いた各面が絶縁層１７と当接していることになる。よって放熱性の向上が図れることから、ヒートシンクを省いた構成を実現することも可能である。更にまた、第２の導電パターン１８Ｂが部分的に絶縁層１７に埋め込まれることで、両者の密着性を向上させることができる。従って、第２の導電パターン１８Ｂの剥がれ強度を向上させることが出来る。
【００４６】
第１の導電パターン１８Ａは絶縁層１７に埋め込まれないので、第１の導電パターン１８Ａの裏面と回路基板１６との距離を長く確保することができる。このことから、第１の導電パターン１８Ａと回路基板１６との間に発生する寄生容量を低減することが出来る。従って、高周波の電気信号を第１の導電パターン１８Ａに通過させた場合でも、寄生容量に起因した信号の遅延等が防止される。
【００４７】
縁部１８Ｄは、第２のパターン１８Ｂの周縁部に形成される部位であり、その厚さは第１の導電パターン１８Ａと同等である。縁部１８Ｄは、導電パターン１８の製造がエッチングにより行われることから、設けられる部位である。具体的には、導電パターン１８をエッチングによりパターニングする際に、凸部２２がエッチングされるのを防止するために凸部２２の周囲にマージンを設ける。このマージンの部分が縁部１８Ｄとなり、凸部２２の周囲に位置している。
縁部１８Ｄの幅Ｔ４は、第１の導電パターン１８Ａの厚さ以上が好適である。一例としては、幅Ｔ４は、１００μｍ程度以上が好適である。これは、導電パターン１８のパターニングを行うエッチングは、等方性で進行するためである。等方性で進行するエッチングが凸部２２に到達するのを防止するためには、縁部１８Ｄの幅Ｔ４を、第１の導電パターン１８Ａの厚みよりも広くするのが好ましい。
【００４８】
第３図（Ｂ）を参照して、第２の導電パターン１８Ｂを厚く形成する他の構成を説明する。ここでは、厚み部分が上方に突出した凸部２２を有する第２の導電パターン１８Ｂが形成されている。従って、第２の導電パターン１８Ｂの断面積が大きくなり、大きな電流容量を確保することが出来る。更に、厚みが増すことで過渡熱抵抗を小さくすることが出来る。また、第１および第２の導電パターンの底面は同一平面上に位置する。
【００４９】
第３図（Ｃ）を参照して、ここでは、第２の導電パターン１８Ｂの厚み部分が、上方向および下方向の両方に突出することで厚く形成されている。即ち、第２の導電パターン１８Ｂの表面および裏面に凸部２２が形成されている。従って、第２の導電パターン１８Ｂの厚さを更に厚くすることが可能になり、電流容量の確保および過渡熱抵抗の低減の効果を更に大きくすることが出来る。また、複数回のエッチングにより第２の導電パターン１８Ｂを形成することとから、縁部Ｔ４を小さくしてパターンを厚くすることが出来る。
【００５０】
第４図（Ｄ）、第５図（Ｃ）、第６図（Ｄ）の様に薄いパターンと厚いパターンが一体で成っている場合、厚いパターンも薄い部分でパターニングすれば、一度にパターニングできるメリットを有する。
【００５１】
次に、第４図を参照して、上記した混成集積回路装置の製造方法を説明する。
【００５２】
先ず、第４図を参照して、第３図（Ａ）に示した断面形状を有する導電パターン１８の製造方法を説明する。
【００５３】
第４図（Ａ）を参照して、導電箔２０を用意してその表面にレジスト２１をパターニングする。導電箔２０の材料としては、銅を主材料とする金属、ＦｅとＮｉとの合金、またはＡｌを主材料とする材料を採用することができる。導電箔２０の厚さは、形成される導電パターン１８の厚さにより異なる。第２の導電パターン１８Ｂの厚みが数百μｍ程度であれば、その厚み以上の導電箔２０が採用される。レジスト２１は、第２の導電パターン１８Ｂが形成される箇所を被覆している。
【００５４】
第４図（Ｂ）を参照して、次に、レジスト２１をエッチングマスクとしてウエットエッチングを行い、レジスト２１が形成されない主面のエッチングを行う。このエッチングによりレジスト２１により被覆されていない領域の導電箔２０の表面はエッチングされ、窪み部２３が形成される。ここで、第１の導電パターン１８Ａが形成される領域を、微細なパターンニングが行えるように十分に薄く形成している。具体的には、導電箔２０の厚みを９μｍから８０μｍ程度に薄くする。本工程により、レジスト２１にて覆われた部分は、凸状に突出する凸部２２と成る。本工程が終了した後にレジスト２１は剥離される。
【００５５】
第４図（Ｃ）および第４図（Ｄ）を参照して、表面に絶縁層１７が設けられた回路基板１６と導電箔２０とを密着させる。具体的には、凸部２２を絶縁層１７に埋め込むように導電箔２０を回路基板１６に密着される。この密着は真空プレスで行うと、導電箔２０と絶縁層１７との間の空気により発生するボイドを防止することが出来る。また、等方エッチングにより形成される凸部２２の側面は、滑らかな曲面となっている。従って、導電箔２０を絶縁層１７に圧入する際に、この曲面に沿って樹脂が浸入し、未充填部が無くなる。このことから、このような凸部２２の側面形状によっても、ボイドの発生を抑止することができる。更に、凸部２２が絶縁層１７に埋め込まれることで、導電箔２０と絶縁層１７との密着強度を向上させることが出来る。
【００５６】
更に、第４図（Ｃ）の導電箔２０の上面（第４図（Ｂ）では下面）は、フラットであるため、圧入治具である当接面と全面で当接でき、全面均一な力で均等に加圧することができる。
【００５７】
第４図（Ｅ）を参照して、次に、回路基板１６に接着された導電箔２０のパターンニングを行う。具体的には、形成予定の第１および第２の導電パターンの形状に即したレジスト２１を形成した後に、ウエットエッチングを行うことでパターンニングを行う。ここで、第２の導電パターン１８Ｂに対応する領域の導電箔２０を被覆するレジスト２１は、凸部２２よりも広く形成される。これは、次工程のエッチングにより凸部２２が浸食されるのを防止するためである。更に、レジスト２１を形成する際のマスクのズレを考慮すれば、上記構成により、エッチングによる導電パターン１８の分離を確実に行うことができる。
【００５８】
本工程では、凸部２２を除外した領域の導電箔２０をパターニングして部分的に除去することで、薄い第１の導電パターン１８Ａおよび厚い第２の導電パターン１８Ｂを形成している。従って、厚さが例えば３０μｍ程度に薄い部分の導電箔２０をパターニングすることにより、厚みが異なる導電パターン１８を一括して形成することができる。
【００５９】
第４図（Ｆ）を参照して、レジスト２１を介してエッチングを行った後の、第１の導電パターン１８Ａおよび第２の導電パターン１８Ｂの断面を説明する。窪み部２３（第４図（Ｂ）参照）が形成された領域の導電箔２０は、その厚みが数十μｍ程度と薄くなっている。従って、第１の導電パターン１８Ａは微細に形成することが出来る。ここでは、１回のエッチングにより、薄い第１の導電パターン１８Ａと厚い第２の導電パターン１８Ｂを形成することができる。
【００６０】
縁部１８Ｄは、凸部２２を平面的に囲むように形成される。換言すると、凸部２２の上部を被覆するレジスト２１を、凸部２２よりも広めに形成されることで、縁部１８Ｄは形成される。このように、第２の導電パターン１８Ｂをエッチングする際に、レジスト２１を広めに形成することで、安定したエッチングを行うことが出来る。即ち、ウエットエッチングは等方性なので、導電パターン１８はサイドエッチングが進行し、パターンニングされた導電パターン１８Ｂの側面はテーパー形状に成っている。従って、このように広めにエッチングを行うことで、サイドエッチングにより第２の導電パターン１８が浸食されてしまうことを防止することが出来る。
【００６１】
つまり、凸部２２が浸食されてしまえば、第２の導電パターン１８Ｂの断面積が小さくなり、大きな電流容量を確保できなくなり、更に放熱性も低下してしまう。また、ある程度の誤差を含んでレジスト２１は形成されるので、上記構成により、この誤差に起因した凸部２２の浸食を防止することができる。
【００６２】
第５図を参照して、上記した混成集積回路装置の第２の製造方法を説明する。ここでは第３図（Ｂ）に構成を示した第２の導電パターン１８Ｂを形成する製造方法を説明する。ここでの導電パターン１８の形成方法は、第４図を参照して説明した形成方法と基本的には同一であるので、相違する箇所を中心に説明する。
【００６３】
第５図（Ａ）から第５図（Ｃ）を参照して、先ず、回路基板１６の表面に塗布された絶縁層１７に導電箔２０を密着させる。ここでは、導電箔２０が厚い状態のままで圧着を行うので、圧着の工程における導電箔２０の「皺」の発生を抑止することが出来る。そして、厚い第２の導電パターン１８が形成される領域をレジスト２１で被覆した後に、導電箔２０の表面のエッチングを行う。このエッチングにより、薄い第１の導電パターン１８Ａが形成される領域の導電箔２０を十分に薄くする。このエッチングが終了した後に、レジスト２１は剥離させる。
【００６４】
第５図（Ｄ）を参照して、次に、新たなレジスト２１を導電箔２０の表面に塗布した後に、第１および第２の導電パターンが形成されるようにレジスト２１のパターンニングを行う。ここでも、上述したような縁部１８Ｄが形成されるように、凸部２２を覆うレジスト２１は、凸部２２よりも広めに被覆される。つまり凸部２２の側面から薄い部分に延在されるように、レジスト２１が塗布されている。
【００６５】
第５図（Ｅ）を参照して、次に、レジスト２１を介してエッチングを行うことで、第１および第２の導電パターンを形成する。縁部１８Ｄが形成されているので、凸部２２はエッチングされずに、安定したパターニングを行うことが出来る。このエッチングが終了した後に、レジスト２１は剥離される。
【００６６】
第６図を参照して、混成集積回路装置の第３の製造方法を説明する。ここでは第３図（Ｃ）に構成を示した第２の導電パターン１８Ｂを形成する製造方法を説明する。ここでの導電パターン１８の形成方法も、第４図を参照して説明した形成方法と基本的には同一であるので、相違する箇所を中心に説明する。
【００６７】
第６図（Ａ）および第６図（Ｂ）を参照して、第２の導電パターン１８Ｂが形成される予定の導電箔２０の表面にレジスト２１を形成してエッチングを行う。このエッチングにより、凸部２２が形成される。窪み部２３が設けられる領域の導電箔２０の厚さは、形成予定の第１の導電パターン１８Ａよりも厚くなる。しかも圧入治具と面で当接しながら圧着が行われるので、圧着の工程における導電箔の「皺」の発生を抑止することが出来る。
【００６８】
第６図（Ｃ）および第６図（Ｄ）を参照して、次に、凸部２２が形成された領域の表面をレジスト２１で被覆する。そして、エッチングを行う。本工程でのエッチングの目的は、導電箔２０の両面に凸部２２を形成することと、窪み部２３が設けられる領域の導電箔２０を薄くすることにある。本工程が終了した後に、レジスト２１は剥離される。
【００６９】
第６図（Ｅ）および第６図（Ｆ）を参照して、新たなレジスト２１を導電箔２０の表面に塗布した後に、第１および第２の導電パターンが形成されるようにレジスト２１のパターンニングを行う。ここでも、凸部２２を覆うレジスト２１に付いては、凸部２２をはみ出して被覆する。本工程では、導電箔２０の両主面に凸部２２を形成することで、第２の導電パターン１８Ｂを厚く形成している。
【００７０】
第７図を参照して、混成集積回路装置の第４の製造方法を説明する。ここでは第３図（Ｃ）に構成を示した第２の導電パターン１８Ｂを形成する他の製造方法を説明する。
【００７１】
第７図（Ａ）および第７図（Ｂ）を参照して、先ず、第２の導電パターン１８Ｂが形成される予定の領域に対応する導電箔２０の表面および裏面にレジスト２１を形成する。そして、導電箔２０の表面および裏面のエッチングを行うことにより、両主面に凸部２２を形成する。従って、一回のエッチングにて導電箔２０の両主面に凸部２２を形成することが出来る。
【００７２】
第７図（Ｃ）から第７図（Ｅ）を参照して、凸部２２を絶縁層１７に埋め込むように導電箔２０を回路基板１６に密着させた後、導電パターン１８のパターンニングを行う。この方法は、第６図を参照して説明したものを同様であるので、その説明は割愛する。以上が導電パターン１８をパターニングする工程に関する説明である。第１から第４の製造方法で形成できた混成集積回路基板は、第８図の如く、所望の箇所に回路素子を配置され、回路素子を導電パターン１８が電気的に接続される。
【００７３】
第８図（Ａ）を参照して、先ず、半田や導電ペースト等を介して回路素子１４を導電パターン（アイランド）１８に固着する。ここで、小さな電流の処理を行う第１の回路素子１４Ａは、第１の導電パターン１８Ａに固着される。そして、大きな電流が流れて発熱量が多い第２の回路素子１４Ｂは、第２の導電パターン１８Ｂに固着される。第１の導電パターン１８Ａは微細なパターンを構成することができるので、ＬＳＩ素子等の端子数の多い素子を第１の回路素子１４Ａとして採用することが出来る。第２の導電パターン１８Ｂは、十分に厚く形成されていることから、大電流の処理を行うパワートランジスタ、ＬＳＩ等を第２の回路素子１８Ｂとして採用することが出来る。ここでは、１つの混成集積回路装置を構成する複数のユニット２４が、１枚の回路基板１６に形成され、一括してダイボンディングおよびワイヤボンディングを行うことが出来る。
【００７４】
第８図（Ｂ）を参照して、金属細線１５を介して回路素子１４と導電パターン１８との電気的接続を行う。本形態では、第２の導電パターン１８Ｂの厚み部分が絶縁樹脂１７に埋め込まれることで、第１の導電パターン１８Ａと第２の導電パターン１８Ｂの上面が同じ高さになっている。従って、第２の回路素子１４Ｂの電気的接続を行う際に、数十μｍ程度の細線を用いることが可能となる。従来では、ヒートシンク等の上部に載置されていたトランジスタは、導電パターン１８との高低差が大きかった。この高低差は、例えば２ｍｍ程度である場合もあった。そのため、ワイヤーが自重でたれてチップやヒートシンクにショートしないように、腰の強い太線が用いられていた。本形態では、ヒートシンクに相当する第２の導電パターン１８Ｂと、第１の導電パターン１８Ａとは同一面になるため、腰の強い太線を用いる必要がない。ここで、細線とは、一般的にその径が８０μｍ程度の金属細線を指す。
【００７５】
上記工程が終了した後に、各ユニット２４の分離を行う。各ユニットの分離は、プレス機を用いた打ち抜き、ダイシング、折り曲げ等により行うことが出来る。その後に、各ユニットの回路基板１６にリード１１を固着する。
【００７６】
第９図を参照して、各回路基板１６の樹脂封止を行う。ここでは、熱硬化性樹脂を用いたトランスファーモールドにより封止が行われている。即ち、上金型３０Ａおよび下金型３０Ｂとから成る金型３０に回路基板１６を収納した後に、両金型を当接させることでリード１１を固定する。そして、キャビティ３１に樹脂を封入することで、樹脂封止の工程が行われる。以上の工程で、第１図に示すような混成集積回路装置が製造される。
【００７７】
従来の混成集積回路基板では、導電パターンが全て同一膜厚で形成されていたため、大電流を必要とする部分には、幅の広いパターンを形成したり、別途ヒートシンクを採用していた。しかし本願では、厚い第２のパターン１８Ｂと薄い第１のパターン１８Ａが、同一混成集積回路基板に形成できる。
【００７８】
例えばＡｌから成る回路基板１６を用いた場合、第２の導電パターン１８Ｂに形成される凸部２２を、回路基板１６の表面を被覆する絶縁層１７に埋め込むことにより、放熱性を向上させることができる。これは、第２の導電パターン１８Ｂに固着された回路素子から発生する熱が、絶縁層１７に埋め込まれた凸部２２を介して、基板１６に良好に伝導するからである。絶縁層１７にフィラーが混入されれば、更にその放熱性が向上する。
【００７９】
本発明によれば、１つの回路基板の表面に厚みの異なる導電パターンを形成することが可能となる。従って、電流容量が要求される導電パターンを厚く形成でき、比較的小さな電流が通過する箇所の導電パターンを薄く形成できる。しかも、微細な導電パターンで配線密度も高くできる。上記のことから、要求される電流容量に応じてパターンルールが異なる導電パターンを１つの回路基板上に形成することが可能となる。
【００８０】
更に、厚く形成される第２の導電パターンに、大きな電流が通過する第２の回路素子を固着することで、第２の回路素子から発生する熱を積極的に外部に放出させることが可能となる。特に第４図、第６図、第７図のように、絶縁層に導電パターン裏面の一部が埋め込まれている導電パターンは、その裏面の凸部が絶縁樹脂でカバーされているため、絶縁層を介した熱伝導が向上する。
【符号の説明】
１０    混成集積回路装置
１１    リード
１２    封止樹脂
１４    回路素子
１５    金属細線
１６    回路基板
１７    絶縁層
１８Ａ  第1の導電パターン
１８Ｂ  第２の導電パターン
９      露出孔
【図１】
0004785139.tif 000002
【図２】
0004785139.tif 000003
【図３】
0004785139.tif 000004
【図４】
0004785139.tif 000005
【図５】
0004785139.tif 000006
【図６】
0004785139.tif 000007
【図７】
0004785139.tif 000008
【図８】
0004785139.tif 000009
【図９】
0004785139.tif 000010
【図１０】
0004785139.tif 000011